(57)【要約】【課題】  室内に充分な量のマイナスイオンを供給できるとともに、コストの低減及びノイズ発生防止等を行えるファンコンベクタを提供する。【解決手段】  複数の支持板７ａと複数のブレード７ｂとからなるクロスフローファンで送風ファン７を構成し、高速で回転する前記ブレード７ｂにマイナスイオン発生物質を塗布あるいは練り込むことにより、マイナスイオン発生物質と空気との摩擦力を増大させ、同摩擦力によりマイナスイオンを発生させ、室内に供給する。これにより放電電極によるイオン発生装置に比較し、コストの低減及び他の電装部品に対するノイズ発生防止等の効果を得る。【選択図】図２
2005241060.tif 000002
【特許請求の範囲】
【請求項１】
吸込部と吹出部とを備え、送風ファンにより前記吸込部から吸込んだ空気を前記吹出部から送出してなる送風装置において、
前記送風ファンに、マイナスイオン発生物質を塗布あるいは練り込んでなることを特徴とする送風装置。
【発明の詳細な説明】
【技術分野】
【０００１】
本発明は、送風装置の一つである温水暖房機のファンコンベクタに関わり、より詳細には、室内にマイナスイオンを送出する構成に関する。
【背景技術】
【０００２】
マイナスイオンを室内に送出できる従来のファンコンベクタ２０は、図４（Ａ）で示すように、筐体内に放熱器と送風ファンとを備えるとともに、筐体の前面下部に形成された吹出口の近傍にイオン発生装置２１を設けている。同イオン発生装置２１は内部に高電圧が印加される放電電極と、同放電電極から発生するコロナ放電を受ける対向電極とを備え、コロナ放電により周囲の空気中にマイナスイオンを発生させるようになっている。筐体の背面上部に形成された吸込口から吸込まれた室内の空気は前記放熱器により加熱された後、前記イオン発生装置２１によりマイナスイオンを発生させ、前記送風ファンにより室内に送出されるようになっている。
【０００３】
しかしながら、空気流路に前記イオン発生装置２１を配置すると空気の流路抵抗となり、吹出口から吹出される温風量が減少する一方、騒音が増大してしまうという問題があり、又、前記イオン発生装置２１から発生するノイズにより、制御部等に搭載された他の電装部品に支障が生じるというような問題を抱えていた。又、同イオン発生装置２１は高価でありファンコンベクタそのもののコストが増大してしまうという不具合があった。
【０００４】
これらの問題点を解決する従来例として、温風暖房機（石油ファンヒータ）にマイナスイオンを発生させる機構を組み込んだ例がある。図４（Ｂ）で示す石油ファンヒータは筐体背面に送風ファン３６を備えた吸込口３１を形成し、筐体の前面下部に、風向偏向を行う複数のルーバ３２ａを上下に配設した吹出口３２を形成している。筐体内部には燃焼室３４が設けられ、同燃焼室３４にはバーナ３５ａを備えた燃焼部３５が配置されている。
前記吹出口３２に配設されたルーバ３２ａの表面には、図４（Ｃ）で示すように、耐熱塗料３７ａが塗布され、更にその上層には、トルマリン等からなるマイナスイオン発生物質３７ｂが５〜１０ミクロンの厚さで塗布されている。
【０００５】
前記送風ファン３６により前記吸込口３１から吸込まれた室内の空気は、前記燃焼室３４から発生する熱と空気流路３３で混合することにより加熱され、前記吹出口３２から温風となって室内に送出されるようになっている。前記吹出口３２から吹出される際、温風は前記ルーバ３２ａの表面との間で摩擦を生じ、同摩擦力により表面に塗布されたマイナスイオン発生物質からマイナスイオンが発生するようになっている。
【０００６】
しかしながら、前記ルーバ３２ａの表面にマイナスイオン発生物質を塗布する方法は、
上記したファンコンベクタにおける騒音やノイズの問題は解決できるものの、ルーバと空気流との摩擦によりマイナスイオンを発生させるため、マイナスイオンの発生量に限界があるという問題を抱えていた。又、他の従来例として、ルーバあるいは送風ファンを構成するベーンの表面に抗菌剤を塗布し、これらの部材への雑菌あるいは細菌の繁殖を防止する例もあるが、この方法は部材そのものの保護及び清浄性を目的とするものであり、マイナスイオン等の発生物質により、室内の快適性の向上を指向したものではない。
【０００７】
【特許文献１】特開２００３−２８７２８９号
【発明の開示】
【発明が解決しようとする課題】
【０００８】
本発明は、上記問題点に鑑み、騒音や電装部品に対するノイズを生じることなく、室内に充分な量のマイナスイオンを供給できるファンコンベクタを提供することを目的とする。
【課題を解決するための手段】
【０００９】
本発明は、上記課題を解決するため、吸込部と吹出部とを備え、送風ファンにより前記吸込部から吸込んだ空気を前記吹出部から送出してなる送風装置において、前記送風ファンに、マイナスイオン発生物質を塗布あるいは練り込んだ構成となっている。
【発明の効果】
【００１０】
本発明によると、複数の支持板と複数のブレードとからなるクロスフローファンで送風ファンを構成し、高速で回転する前記ブレードの表面にマイナスイオン発生物質を塗布あるいは練り込むことにより、マイナスイオン発生物質と空気との摩擦力を増大させ、同摩擦力によりマイナスイオンを発生させ、室内に充分に供給することのができるとともに、放電電極によるイオン発生装置に比較し、コストの低減及び他の電装部品に対するノイズ
防止等の効果を備えたファンコンベクタとすることができる。
【発明を実施するための最良の形態】
【００１１】
以下、本発明の実施の形態を、添付図面に基づいた実施例として詳細に説明する。
【実施例１】
【００１２】
図１はファンコンベクタの断面図であり、図２は同ファンコンベクタに備えられたクロスフローファンを示す斜視図である。図３はファンコンベクタの要部断面図である。
【００１３】
本発明によるファンコンベクタは、図１で示すように、後面が開放されたフロントパネル１と、同フロントパネル１に接合される前面が開放されたリアパネル２と、これらの基部に接合され床上に支持するベース３とで本体を構成している。同本体の背面上部には上下方向に複数配設された横桟により室内の空気を吸込む吸込口４が形成され、本体の前面下部には、同吸込口４から吸込まれ、加熱された空気を室内に送出する吹出口５が形成されている。同吹出口５には、前面側に、上下方向に配設され吹出される温風を上下に偏向する複数のルーバ５ａが設けられ、その後方には吹出される温風を左右方向に偏向する左右偏向板５ｂが横方向に複数設けられている。
【００１４】
前記吸込口４と前記吹出口５とを結ぶ空気流路には、前記吸込口４に対峙して放熱器６が設けられ、その下流側には送風ファン７が設けられている。又、これらの前面側には、前記放熱器４から発生する熱が前記フロントパネル１の表面に伝熱されることを防止する遮熱板８が本体内を前後に区画するように設けられている。
【００１５】
前記放熱器４は、平行して並べられた多数のフィンと、同フィンに直交するように蛇行状に配設された伝熱管とからなり、配管９及び他側に配設された配管により室外に設置された室外機と還状に連結されており、同室外機で加熱された温水が前記放熱器４の伝熱管に循環することにより、前記吸込口４から吸込まれた室内の空気を加熱するようになっている。又、加熱された空気は温風となって前記送風ファン７により室内に送出されるようになっている。
【００１６】
前記送風ファン７は、図２で示すように、平行して並べられ、周縁に複数の挿通孔を穿設したリング状の支持板７ａと、前記挿通孔に挿通して支持される複数のベーン７ｂとからなるクロスフローファンであり、同クロスフローファンがモータの駆動により高速で回転することにより、前記放熱器６により加熱された空気は前記吹出口５から室内に送出されるようになっている。
【００１７】
前記クロスフローファンのベーン７ｂには、ホルマリン等によるマイナスイオン発生物質が５〜１０μｍの厚さで塗布あるいは練り込みされている。同マイナスイオン発生物質は摩擦力等の外的な応力が作用すると、マイナスイオン発生量が増大する特性を有している。前記送風ファン７がモータの駆動により回転すると前記支持板７ａの周縁部に支持された多数の前記ベーン７ｂは高速で円運動を行うことになり、周囲を流れる空気との間で多大な摩擦が生じる。この摩擦力により前記ベーン７ｂの表面に塗布されたマイナスイオン発生物質から多量のマイナスイオンが発生し、周囲に拡散するようになっている。拡散したマイナスイオンは温風と混合して前記吹出口５から室内に送出され、使用者に快適な環境を提供するようになっている。
【００１８】
前記リアパネル２の下部内面壁は、図３で示すように、前記吹出口５の下端縁に連なる円弧状に形成されており、前記送風ファン７から送出された温風を前記吹出口５に円滑に導びくようになっている。円弧状の同下部内面壁には、マイナスイオン発生物質を練り込んだイオン発生シート１０が貼着されており、前記送風ファン７から吹出された空気が上層を通過する際、それとの摩擦力によりマイナスイオンを発生させ、前記クロスフローファンから発生されたマイナスイオンと相まって前記吹出口５から室内に送出されるようになっている。
【００１９】
上記したように、高速で回転する前記ブレード７ｂの表面にマイナスイオン発生物質を塗布あるいは練り込むことにより、空気との摩擦力を増大させ、より充分な量のマイナスイオンを室内に送出することのできるファンコンベクタとすることができるようになっている。
【図面の簡単な説明】
【００２０】
【図１】ファンコンベクタを示す断面図である。
【図２】クロスフローファンを示す斜視図である。
【図３】ファンコンベクタの要部断面図である。
【図４】（Ａ）は従来のファンコンベクタの一例を示す断面図である。  （Ｂ）は従来の石油ファンヒータの一例を示す断面図である。  （Ｃ）は（Ｂ）の要部断面図である。
【符号の説明】
【００２１】
１  フロントパネル
２  リアパネル
３  ベース
４  吸込口
５  吹出口
５ａ  ルーバ
５ｂ  左右偏向板
６  放熱器
７  送風ファン
７ａ  支持板
７ｂ  ブレード
８  遮熱板
９  配管
１０  イオン発生シート
【図１】
2005241060.tif 000003
【図２】
2005241060.tif 000004
【図３】
2005241060.tif 000005
【図４】
2005241060.tif 000006